(57)【特許請求の範囲】
【請求項１】
伝送される複数のサービスを、エラー率に従って複数のサービス・グループに分割するステップであって、各サービス・グループは、少なくとも１つのサービスを含み、さらに、
前記サービス・グループに従って前記複数のサービスを伝送するステップを含み、各サービス・グループ内のそれぞれのサービスは、所定のシーケンスに従って順番に伝送される、ＭＢＳＦＮのための伝送方法。
【請求項２】
前記サービス・グループに従って前記複数のサービスを伝送する前記ステップは、
単一のマルチキャスト・チャネル上で前記サービス・グループに従って前記複数のサービスを伝送するステップを含む、請求項１に記載の伝送方法。
【請求項３】
前記それぞれのサービス・グループの伝送に使用されるリソース・ブロックは、動的に割り当てられる、請求項２に記載の伝送方法。
【請求項４】
後続サービス・グループの最初のサービスによって占められる最初のリソース・ブロックは、前のサービス・グループ内の最後のサービスによって占められる最後のリソース・ブロックに連続する、請求項３に記載の伝送方法。
【請求項５】
それぞれのグループ内の前記サービスの前記リソース・ブロックの位置は、すべてのグループのリソース・ブロックの中で最初のリソース・ブロックに動的に割り当てられる位置に対して相対的に決定される、請求項３に記載の伝送方法。
【請求項６】
前記それぞれのサービス・グループの伝送に使用されるリソース・ブロックは、前もって割り当てられる、請求項２に記載の伝送方法。
【請求項７】
それぞれのグループ内の前記サービスの前記リソース・ブロックの位置は、それぞれのグループのリソース・ブロックの中で最初のリソース・ブロックに前もって割り当てられた位置に対して相対的に決定される、請求項６に記載の伝送方法。
【請求項８】
前記サービス・グループに従って前記複数のサービスを伝送する前記ステップは、
それぞれのマルチキャスト・チャネル上で対応するサービス・グループを伝送するステップを含む、請求項１に記載の伝送方法。
【請求項９】
前記それぞれのサービス・グループ内の前記サービスの伝送に使用されるリソース・ブロックは、動的に割り当てられる、請求項８に記載の伝送方法。
【請求項１０】
伝送される複数のサービスを、エラー率に従って複数のサービス・グループに分割するように構成されたグループ化ユニットを含み、各サービス・グループは、少なくとも１つのサービスを含み、さらに、
前記サービス・グループに従って前記複数のサービスを伝送するように構成された伝送ユニットを含み、各サービス・グループ内の前記サービスは、所定のシーケンスに従って順番に伝送される、ＭＢＳＦＮのための伝送装置。
【請求項１１】
前記伝送ユニットは、単一のマルチキャスト・チャネル上で前記サービス・グループに従って前記複数のサービスを伝送するように構成される、請求項１０に記載の伝送装置。
【請求項１２】
前記それぞれのサービス・グループの伝送に使用されるリソース・ブロックを動的に割り当てるように構成されたリソース割当ユニットをさらに含む、請求項１１に記載の伝送装置。
【請求項１３】
伝送に使用されるリソース・ブロックを前記それぞれのサービス・グループに前もって割り当てるように構成されたリソース割当ユニットをさらに含む、請求項１１に記載の伝送装置。
【請求項１４】
前記伝送ユニットは、それぞれのマルチキャスト・チャネル上で対応するサービス・グループを伝送するように構成される、請求項１０に記載の伝送装置。
【請求項１５】
伝送に使用されるリソース・ブロックを前記それぞれのサービス・グループ内の前記サービスに動的に割り当てるように構成されたリソース割当ユニットをさらに含む、請求項１４に記載の伝送装置。
【発明の詳細な説明】
【技術分野】
【０００１】
本発明は、ＭＢＭＳサービスの伝送に関し、具体的には、ＬＴＥシステムで異なるＭＣＳ／ＳＤＵエラー率を有するＭＢＭＳサービスを伝送する方法および装置に関する。
【背景技術】
【０００２】
現在のＲＡＮ２は、既に、ＬＴＥシステムでＭＢＭＳサービスを多重化することに既に合意済みであり、開発が、同一のＭＣＳ／ＳＤＵエラー率を有する解決策について既に実行されている。
【０００３】
しかし、異なるＭＣＳ／ＳＤＵエラー率を有するＭＢＭＳサービスを多重化する必要もある、すなわち、ネットワーク内に異なるＭＣＳ／ＳＤＵエラー率を有するサービスがある。当然、これらのサービスの多重化は、同一のＭＳＣ構成を有するサービスの多重化とは異なる。したがって、異なるＭＣＳ／ＳＤＵエラー率を有するＭＢＭＳサービスの多重化解決策を開発する必要がある。
【発明の概要】
【発明が解決しようとする課題】
【０００４】
本発明の目的は、異なるＭＣＳ／ＳＤＵエラー率を有するＭＢＭＳサービスの多重化を実行できる、ＭＢＭＳサービスを伝送する方法および装置を提供することである。
【課題を解決するための手段】
【０００５】
本発明の一態様は、伝送される複数のサービスを、エラー率に従って複数のサービス・グループに分割するステップであって、各サービス・グループは、少なくとも１つのサービスを含む、ステップと、サービス・グループに従って複数のサービスを伝送するステップであって、各サービス・グループ内のそれぞれのサービスは、所定のシーケンスに従って順番に伝送される、ステップとを含む、ＭＢＳＦＮのための伝送方法を提供することである。
【０００６】
本発明の実施形態によれば、サービス・グループに従って複数のサービスを伝送するステップは、単一のマルチキャスト・チャネル上でサービス・グループに従って複数のサービスを伝送するステップを含む。
【０００７】
本発明の実施形態によれば、それぞれのサービス・グループの伝送に使用されるリソース・ブロックは、動的に割り当てられる。
【０００８】
本発明の実施形態によれば、後続サービス・グループの最初のサービスによって占められる最初のリソース・ブロックは、前のサービス・グループ内の最後のサービスによって占められる最後のリソース・ブロックに連続する。
【０００９】
本発明の実施形態によれば、それぞれのグループ内のサービスのリソース・ブロックの位置は、すべてのグループのリソース・ブロックの中で最初のリソース・ブロックに動的に割り当てられる位置に対して相対的に決定される。
【００１０】
本発明の実施形態によれば、それぞれのサービス・グループの伝送に使用されるリソース・ブロックは、前もって割り当てられる。
【００１１】
本発明の実施形態によれば、それぞれのグループ内のサービスのリソース・ブロックの位置は、それぞれのグループのリソース・ブロックの中で最初のリソース・ブロックに前もって割り当てられた位置に対して相対的に決定される。
【００１２】
本発明の実施形態によれば、サービス・グループに従って複数のサービスを伝送するステップは、それぞれのマルチキャスト・チャネル上で対応するサービス・グループを伝送するステップを含む。
【００１３】
本発明の実施形態によれば、それぞれのサービス・グループ内のサービスの伝送に使用されるリソース・ブロックは、動的に割り当てられる。
【００１４】
本発明の別の態様は、伝送される複数のサービスを、エラー率に従って複数のサービス・グループに分割するように構成されたグループ化ユニットであって、各サービス・グループは、少なくとも１つのサービスを含む、グループ化ユニットと、サービス・グループに従って複数のサービスを伝送するように構成された伝送ユニットであって、各サービス・グループ内のサービスは、所定のシーケンスに従って順番に伝送される、伝送ユニットとを含む、ＭＢＳＦＮのための伝送装置を提供する。
【００１５】
本発明の実施形態によれば、伝送ユニットは、単一のマルチキャスト・チャネル上でサービス・グループに従って複数のサービスを伝送するように構成される。
【００１６】
本発明の実施形態によれば、伝送装置は、サービス・グループの伝送に使用されるリソース・ブロックを動的に割り当てるように構成されたリソース割当ユニットをさらに含む。
【００１７】
本発明の実施形態によれば、伝送装置は、伝送に使用されるリソース・ブロックをサービス・グループに前もって割り当てるように構成されたリソース割当ユニットを含む。
【００１８】
本発明の実施形態によれば、それぞれのグループ内のサービスのリソース・ブロックの位置は、それぞれのグループのリソース・ブロックの中で最初のリソース・ブロックに前もって割り当てられた位置に対して相対的に決定される。
【００１９】
本発明の実施形態によれば、伝送ユニットは、それぞれのマルチキャスト・チャネル上で対応するサービス・グループを伝送するように構成される。
【００２０】
本発明の実施形態によれば、伝送装置は、伝送に使用されるリソース・ブロックをそれぞれのサービス・グループ内のサービスに動的に割り当てるように構成されたリソース割当ユニットを含む。
【００２１】
この方法および装置を使用することによって、異なるＭＳＣ／ＳＤＵエラー率を有するＭＢＭＳサービスを多重化し、ＭＢＳＦＮ内のＵＥに伝送することができる。
【００２２】
本発明の上記の目的、利益、および特徴は、図面を参照する好ましい実施形態の次の詳細な説明によってより明白になる。
【図面の簡単な説明】
【００２３】
【図１】本発明の実施形態による通信システムを示す概略図である。
【図２】本発明の実施形態による伝送装置の構造を示す概略図である。
【図３】本発明の実施形態による伝送方法を示す流れ図である。
【図４】本発明の第１の例を示す概略図である。
【図５】本発明の第２の例を示す概略図である。
【図６】本発明の第３の例を示す概略図である。
【発明を実施するための形態】
【００２４】
本発明の実施形態を、図面を参照して説明する。本発明に不要な詳細および機能は、それらが本発明の理解に対する混乱を引き起こすことを防ぐために、次の説明では省略する。
【００２５】
図１は、本発明の実施形態による通信システムの概略図である。図１に示されているように、伝送されるサービスのデータは、ＢＭＳＣからゲートウェイＧＷを介して基地局ｅＮＢへ伝送され、その後、基地局ｅＮＢによってそのセル内のユーザ機器ＵＥに配布される。ＬＴＥでは、同一のＭＢＭＳサービス伝送に関して、単一周波数ネットワーク（ｓｉｎｇｌｅ  ｆｒｅｑｕｅｎｃｙ  ｎｅｔｗｏｒｋ、ＳＦＮ）が、ＭＢＭＳサービスを伝送するために異なる隣接セルによって形成される。ＭＢＭＳサービスを伝送するための単一周波数ネットワークを、以下ではＭＢＳＦＮと称する。
【００２６】
図２は、本発明の実施形態による伝送装置の構造を示す概略図である。
【００２７】
本発明の実施形態によれば、異なるＳＤＵエラー率を有するサービスが、グループに分割され、サービス多重化グループが、構成され、その後、同一グループ内のサービスが、動的に多重化される。その後、これらのサービス・グループは、同一のまたは異なるＭＣＨ（マルチキャスト・チャネル）内の異なるリソース上で伝送される。
【００２８】
図２に示されているように、本発明の実施形態による伝送装置は、ＭＣＥからシグナリングを受信し、処理するシグナリング処理ユニット１０１と、要求されたエラー率に従って、伝送されるサービスＳ１、Ｓ２、Ｓ３、…をグループ化するグループ化ユニット１０４と、サービス・グループおよびそれぞれのサービスのためにリソースを割り当てるすなわち、それぞれのサービスを伝送するために対応するリソース・ブロックを割り当てるリソース割当ユニット１０２と、サービス・グループに従って、割り当てられたリソース上でこれらのサービスを伝送する伝送ユニット１０３とを含み、１グループ内に複数のサービスがある場合には、異なるサービスを、ＱｏＳまたは遅延レベルまたは類似物に従ってグループ内でランキングすることができる。
【００２９】
本発明の伝送装置および伝送方法を、図３〜６を参照して詳細に説明する。図３は、本発明の実施形態による伝送方法の流れ図である。
【００３０】
ステップＳ１０では、伝送装置のシグナリング処理ユニット１０１が、ＳＤＵエラー率、それぞれのサービス・グループの変調コーディング方式（ｍｏｄｕｌａｔｉｎｇ  ｃｏｄｉｎｇ  ｓｃｈｅｍｅ、ＭＣＳ）、およびセル内のマルチキャスト・チャネルの構成などに従って、サービスの多重伝送のシグナリングおよび伝送モード、たとえばサービスをグループ化する標準規格をＭＣＳから受信する。
【００３１】
ステップＳ１１では、グループ化ユニット１０４が、要求されたＳＤＵエラー率に従ってサービスをグループ化する。たとえば、多重化伝送される５つのサービスがあり、５つのサービスは、異なるエラー率に従って第１サービス・グループ｛Ｓ１，Ｓ２，Ｓ４｝および第２サービス・グループ｛Ｓ３，Ｓ５｝に分割される。
【００３２】
ステップＳ１２では、リソース割当ユニット１０２が、静的割当または動的割当など、ＭＣＥからのシグナリングで与えられたリソース割当方式に従って、リソース・ブロックを異なるサービス・グループおよびグループ内のサービスに割り当て、スケジューリング期間の始めにスケジューリング情報をＵＥに伝送し、その結果、ＵＥは、これらのサービスの伝送モードと、フレームまたはサブフレーム内の、サービスのデータの伝送に使用されるリソース・ブロックの位置とを知ることができるようになる。
【００３３】
ステップＳ１３では、伝送ユニット１０３が、サービス・グループに従って、割り当てられたリソース・グループ上でそれぞれのサービスのデータを伝送し、サービス・グループのそれぞれ内のサービスは、所定のシーケンスに従って順番に伝送される。
【００３４】
本発明の実施形態によって提案される装置は、上記のように別々の機能モジュールの形で説明されるが、図面に示された各コンポーネントを、実用的応用例で複数のデバイスによって実施することができ、図示の複数のコンポーネントを、実用的応用例で１つのチップまたは１つの装置に一体化することができる。ＭＣＥでさえ、本発明の実施形態で説明される機能を実行できるある種の基地局内の物理的一部分または論理的一部分とすることができる。当業者は、本発明の実施形態の伝送装置およびＭＣＥが、さらに、他の目的の任意のユニットまたは手段を含むことができることを了解することができる。
【００３５】
さらに、本発明の第１の例によれば、図４に示されているように、単一のマルチキャスト・チャネルＭＣＨが、基地局のセル内で構成され、すべてのサービスが、そのマルチキャスト・チャネルのリソース・ブロック上で伝送される。グループ化ユニット１０４は、ＳＤＵエラー率に従って、Ｓ１〜Ｓ５を上で述べたように２つのグループに分割する。ＭＣＥは、グループの異なるＭＣＳ、たとえばＭＣＳ１およびＭＣＳ２を構成し、これらをシグナリングを介して基地局およびＵＥに伝送する。伝送装置内では、伝送ユニット１０３は、まず第１グループを伝送し、ここで、第１グループ内のサービスは、順次伝送され、第２グループの最初のサービスは、第１グループの最後のサービスの最後のＭＡＣ  ＰＤＵの直後に伝送される。言い換えると、後続サービス・グループの最初のサービスによって占められる最初のリソース・ブロックは、前のサービス・グループ内の最後のサービスによって占められる最後のリソース・ブロックと連続する。第１の例では、リソース・ブロックが動的に割り当てられることがわかる。グループ内のデータがＭＡＣ  ＰＤＵを完全には占めない場合には、パディングが実行される。さらに、伝送の始めに、スケジューリング情報がＵＥに送信され、このスケジューリング情報は、それぞれのサービスのリソース・ブロックの位置が、スケジューリング期間内の最初のリソース・ブロックの位置に対して相対的に決定されることを示す。この例の場合に、第１グループがリソース・ブロック＃１〜＃１００を占める場合に、第２グループの伝送は、リソース・ブロック＃１０１から始まる。したがって、リソースのより少ない浪費が引き起こされる。
【００３６】
本発明の第２の例によれば、図５に示されているように、セル内に複数のＭＣＨがあり、対応するグループのサービスは、異なるＭＣＨ上で伝送される。上で述べたように、グループ化ユニット１０４は、ＳＤＵエラー率に従ってサービスをグループ化する。ＭＣＥは、それぞれのグループのＭＣＨおよびＭＣＳ、たとえばＭＣＨ１、ＭＣＳ１およびＭＣＨ２、ＭＣＳ２を構成する。この場合に、セッションの始めに、ＭＣＥは、サービスのどのグループがＭＣＨチャネルの数に従ってチャネル上で伝送されるのかを基地局およびＵＥに伝送する。対応するサービス・グループが、それぞれのＭＣＨ上で伝送される。動的スケジューリングが、グループ内で実行される。スケジューリング情報は、シグナリングを介して基地局およびＵＥに送信される。グループ内のデータがＭＡＣ  ＰＤＵを完全には占めない場合には、パディングが実行される。さらに、伝送の始めに、スケジューリング情報がＵＥに送信され、このスケジューリング情報は、グループ内のそれぞれのサービスのリソース・ブロックの位置が、ＭＣＨ上でスケジューリング期間内の最初のリソース・ブロックの位置に対して相対的に決定されることを示す。
【００３７】
本発明の第３の例によれば、図６に示されているように、グループ化は、ＳＤＵエラー率に従って実行され、ＭＣＨ上の所定のリソース・ブロックが、前もってグループのために割り当てられる（すなわち、静的割当）。たとえば、リソース・ブロック＃１〜＃１００は、第１グループに割り当てられ、リソース・ブロック＃１０１〜＃２００は、第２グループに割り当てられ、その後、基地局およびＵＥに伝送される。第１グループ内のサービスが、割り当てられたリソース・ブロックを完全には占めない場合であっても、残りのリソース・ブロックは、第２グループに割り当てられない。サービス・グループは、同一のＭＣＨ上で伝送され、そのそれぞれのＭＣＳ、たとえばＭＣＳ１およびＭＣＳ２を有し、このそれぞれのＭＣＳは、ＭＣＥによって決定され、シグナリングを介して基地局およびＵＥに送信される。サービスは、順次伝送され、グループ内で動的に調整される。グループ内のデータがＭＡＣ  ＰＤＵを完全には占めない場合には、パディングが実行される。さらに、伝送の始めに、スケジューリング情報がＵＥに送信され、このスケジューリング情報は、グループ内のそれぞれのサービスのリソース・ブロックの位置が、ＭＣＨ上でスケジューリング期間内の最初のリソース・ブロックの位置に対して相対的に決定されることを示す。
【００３８】
当業者は、上記の方法の異なるステップを、プログラミング・コンピュータによって実行できることをたやすく了解することができる。本テキストでは、いくつかの実施形態が、機械可読またはコンピュータ可読のプログラム・ストレージ・デバイス（たとえば、ディジタル・データ記憶媒体）ならびに機械実行可能またはコンピュータ実行可能の命令プログラム命令を包含し、これらの命令が上記の方法のステップの一部またはすべてを実行することが意図されている。プログラム記憶媒体は、たとえば、ディジタル・ストレージ、磁気記憶媒体（磁気ディスケットおよび磁気テープなど）、ハードウェア、または光可読ディジタル・データ記憶媒体とすることができる。これらの実施形態は、上記の方法のステップを実行するようにプログラムされたコンピュータをも包含する。
【００３９】
上の説明および図面は、本発明の原理を示すのみである。したがって、当業者が異なる構造を提案できることを了解されたい。これらの異なる構造は、本明細書で明示的には説明されず、示されないが、本発明の原理を反映し、本発明の趣旨および範囲に含まれる。また、本明細書で言及されたすべての例が、明確に主に教示のために使用され、読者が本発明の原理および本発明人によって考えられた概念を理解し、当分野の進歩を促進するのを助けるものであって、これらの具体的に言及された例および条件を限定しないものとして解釈されなければならない。また、本明細書で述べられた本発明の原理、態様、および実施形態ならびに本発明の特定の例の陳述は、その同等物を含む。
【図１】
0005210462.tif 000002
【図２】
0005210462.tif 000003
【図３】
0005210462.tif 000004
【図４】
0005210462.tif 000005
【図５】
0005210462.tif 000006
【図６】
0005210462.tif 000007